(57)【要約】  マルチバンド無線通信装置は１つ以上のアンテナ１１１へ信号を出力する複数の送信経路２０２、２０３、２０５及び送信経路に接続される１つ以上の電力増幅器２１０、２０６を備える。各送信経路は特定の無線周波数（ＲＦ）帯域において信号を送信するように構成されている。ＲＦ帯域は高度無線サービス（ＡＷＳ）帯域及びパーソナル・コミュニケーション・サービス（ＰＣＳ）帯域を含んでよい。送信経路は低い帯域外リターンロスを持つＳＡＷ、ＢＡＷあるいはＦＢＡＲデバイスのような受動的なフィルタを備える。各送信経路２０２及び２０３が備える受動的フィルタ２１７、２１９及び位相シフタ２１４、２１６、２１８、２２０は送信経路間でのＲＦ切り替えを不要とし、異なるＲＦ帯域に対して単一の電力増幅器２０６を用いることができるように構成されている。ＲＦスイッチを不要とし複数のＲＦ帯域の増幅を単一の電力増幅器によって行うことによりコスト、電力及びスペースを大幅に節約できる。【選択図】図2
2011515931.tif 000002
【特許請求の範囲】
【請求項１】
複数の無線周波数（ＲＦ）帯域において送信が可能な無線通信装置であって、
それぞれが所定の無線周波数（ＲＦ）帯域において信号を送信するように構成されている複数の送信経路と、
前記複数の送信経路のそれぞれに接続され、前記複数の送信経路のそれぞれに関連付けられる前記信号を増幅するように構成されている電力増幅器と、
を備える無線通信装置。
【請求項２】
前記複数の送信経路のうちの一つは、高度無線サービス（ＡＷＳ）帯域において信号を送信し、前記複数の送信経路のうちの他は、パーソナル・コミュニケーション・サービス（ＰＣＳ）帯域において信号を送信する請求項１に記載の無線通信装置。
【請求項３】
前記電力増幅器の入力に動作可能に接続された複数のフィルタを備え、前記複数のフィルタのそれぞれは、前記複数の送信経路のうち対応する送信経路において前記信号をフィルタリングするように構成されている請求項１に記載の無線通信装置。
【請求項４】
前記複数のフィルタのそれぞれは、低い帯域外リターンロスを有する請求項３に記載の無線通信装置。
【請求項５】
前記複数のフィルタのそれぞれは、表面弾性波（ＳＡＷ）フィルタ、バルク弾性波フィルタ（ＢＡＷ）、ＦＢＡＲ、及びこれらのフィルタの任意の適切な組み合わせからなるグループから選ばれる請求項３に記載の無線通信装置。
【請求項６】
前記電力増幅器の出力に動作可能に接続され、前記複数の送信経路のそれぞれに関連付けられた増幅信号を結合するように構成されている方向性カプラをさらに備える請求項１に記載の無線通信装置。
【請求項７】
ＡＷＳ帯域送信信号及びＰＣＳ帯域送信信号を受信する第１高度無線サービス（ＡＷＳ）経路位相シフタと、
前記ＡＷＳ帯域送信信号及び前記ＰＣＳ帯域送信信号を受信する第１パーソナル・コミュニケーション・サービス（ＰＣＳ）経路位相シフタと、
前記第１ＡＷＳ経路位相シフタに接続され、前記ＡＷＳ帯域送信信号にバンドパスフィルタ処理を行うように構成されている第１表面弾性波（ＳＡＷ）フィルタと、
前記ＰＣＳ経路位相シフタに接続され、前記ＰＣＳ帯域送信信号にバンドパスフィルタ処理を行うように構成されている第２ＳＡＷフィルタと、
前記第１ＳＡＷフィルタに接続された第２ＡＷＳ経路位相シフタと、
前記第２ＳＡＷフィルタに接続された第２ＰＣＳ経路位相シフタと、
を備える無線周波数（ＲＦ）回路。
【請求項８】
無線通信装置に含まれる請求項７に記載のＲＦ回路。
【請求項９】
前記第１及び第２ＳＡＷフィルタのそれぞれは、低い帯域外リターンロスを有する請求項７に記載のＲＦ回路。
【請求項１０】
前記第２ＡＷＳ経路位相シフタ及び前記第２ＰＣＳ経路位相シフタに接続され、前記ＡＷＳ帯域送信信号及び前記ＰＣＳ帯域送信信号を増幅することによって、増幅されたＡＷＳ帯域及びＰＣＳ帯域送信信号を出力するように構成されている電力増幅器をさらに備える請求項７に記載のＲＦ回路。
【請求項１１】
前記電力増幅器の出力に動作可能に接続され、前記増幅されたＡＷＳ帯域及びＰＣＳ帯域送信信号を結合するように構成されている方向性カプラをさらに備える請求項１０に記載のＲＦ回路。
【請求項１２】
方向性カプラに接続されたＰＣＳ位相シフタ及びインピーダンス整合回路をさらに備える請求項１１に記載のＲＦ回路。
【請求項１３】
方向性カプラに接続されたＡＷＳ位相シフタ及びインピーダンス整合回路をさらに備える請求項１１に記載のＲＦ回路。
【請求項１４】
前記第１ＡＷＳ経路位相シフタは、所定のインピーダンスを前記ＰＣＳ帯域送信信号に対して与えるように構成されている請求項７に記載のＲＦ回路。
【請求項１５】
前記第１ＰＣＳ経路位相シフタは、前記ＡＷＳ帯域送信信号に対して所定のインピーダンスを与えるように構成されている請求項７に記載のＲＦ回路。
【請求項１６】
無線携帯機器において送信信号を増幅する方法であって、
電力増幅器が、第１の所定の無線周波数（ＲＦ）帯域に関連付けられた第１送信信号を受信し、
前記電力増幅器が、第２の所定のＲＦ帯域に関連付けられた第２送信信号を受信し、
前記電力増幅器を用いて、前記第１及び第２送信信号のそれぞれを増幅する、
ことを含む方法。
【請求項１７】
前記第１の所定のＲＦ帯域は、高度無線サービス（ＡＷＳ）帯域であり、前記第２の所定のＲＦ帯域は、パーソナル・コミュニケーション・サービス（ＰＣＳ）帯域である請求項１４に記載の方法。
【請求項１８】
前記第１送信信号を前記電力増幅器が受信する前に、第１フィルタを用いて前記第１送信信号にバンドパスフィルタ処理を行い、
前記第２送信信号を前記電力増幅器が受信する前に、第２フィルタを用いて前記第２送信信号にバンドパスフィルタ処理を行う、
ことをさらに含む請求項１４に記載の方法。
【請求項１９】
第１位相シフタを用いて前記第１送信信号の位相をシフトし、
第２位相シフタを用いて前記第２送信信号の位相をシフトする、
ことをさらに含む請求項１４に記載の方法。
【請求項２０】
前記増幅された第１及び第２送信信号を方向性カプラに印加することをさらに含む請求項１４に記載の方法。
【発明の詳細な説明】
【技術分野】
【０００１】
本発明は、概して無線通信システムに関し、特に、マルチバンド無線移動装置のための改良された無線周波数（ＲＦ）フロントエンドアーキテクチャに関する。
【背景技術】
【０００２】
携帯電話サービスやデータサービスといった商用の無線通信サービスが、世界中でますます多くのＲＦ帯域へと拡大してきている。これらのＲＦ帯域は、一般に政府によってこれらの用途に割り当てられたＲＦスペクトルを指す。
【０００３】
例えば米国においては、携帯電話やデータサービスは、現在、セルラ帯域あるいはアドバンスト・モバイルフォン・システム（ＡＭＰＳ）帯域、及びパーソナル・コミュニケーション・サービス（ＰＣＳ）帯域において利用可能である。また、無認可のＷｉＦｉ（８０２．１１ｘ）やＢｌｕｅｔｏｏｔｈ帯域も無線サービスの提供に利用可能である。ＷｉＦｉ帯域はおよそ２４５０ＭＨｚ及び５８００ＭＨｚの産業科学医療用（ＩＳＭ）無線帯域において動作し、Ｂｌｕｅｔｏｏｔｈもおよそ２４５０ＭＨｚのＩＳＭ帯域において動作する。近年、高度無線サービス（ＡＷＳ）帯域も商用の無線サービスの提供に利用可能となり、ＭｅｄｉａＦＬＯTMは携帯装置へデータを一斉配信するための比較的新しい無線技術である。米国において、ＭｅｄｉａＦＬＯTMシステムはおよそ７００Ｍｈｚの周波数スペクトルを利用する。
【０００４】
複数のＲＦ帯域をより十分に利用するためには異なるＲＦ帯域において信号を送受信できる携帯マルチバンド無線装置を持つことが望まれる。マルチバンド無線装置とは、様々な無線技術を単一の携帯装置に統合したものを指す。残念ながら、特定の無線技術を携帯装置へ統合するための従来のアプローチでは、部品、電力消費及び物理的な大きさの面から、比較的高コストとなることが分かっている。
【発明の概要】
【０００５】
本発明の効果によれば、コスト、電力及びスペースを大幅に節約可能なマルチバンド無線通信装置を提供できる。本発明の例示的な実施形態によれば、無線通信装置は１つ以上のアンテナへ信号を出力する複数の送信経路及びこれらの送信経路に接続される電力増幅器を備える。各送信経路は特定の無線周波数（ＲＦ）帯域において信号を送信するように構成されている。ＲＦ帯域は高度無線サービス（ＡＷＳ）帯域及びパーソナル・コミュニケーション・サービス（ＰＣＳ）帯域のような任意の適切な周波数帯域を含んでよい。電力増幅器は各送信経路に関連付けられた信号を増幅する。この特定の実施形態においては、複数のＲＦ帯域における送信を増幅するために単一の電力増幅器を用いることによりコスト、電力及びスペースを大幅に節約できる。
【０００６】
本発明は上述の例示的な実施形態に限定されない。以下の図や詳細な説明を検討することにより本発明の他の効果や実施形態が当業者にとって明らかである、あるいは明らかとなるであろう。全てのそのような追加的な効果や実施形態が本明細書に含まれ、本発明の範囲に含まれ、また添付の請求項によって保護されることは本発明の意図するところである。
【図面の簡単な説明】
【０００７】
図面は例示説明のみを目的とするものであり、本発明を限定するものではないことを理解すべきである。更に、図面中の構成要素は必ずしも実際の比率に基づくものでもそれらを強調するものでもなく、本発明の主旨を説明するために配置されるものである。各図面中、異なる図面において類似の参照番号は対応する箇所を示す。
【０００８】
【図１】図１は、本発明の例示的な実施形態に係る図２及び図３に示すマルチバンドＲＦ回路のうちいずれかを備える無線通信装置のブロック図である。
【図２】図２は、本発明の別の例示的な実施形態に係るフロントエンドＲＦ回路の詳細なブロック図である。
【図３】図３は、本発明の更に別の例示的な実施形態に係る代替的なフロントエンドＲＦ回路の詳細なブロック図である。
【発明を実施するための形態】
【０００９】
図面を参照しそれらを含む以下の詳細な説明においては、本発明の１つ以上の具体的な実施形態に関する記述及び例示説明を行う。これらの実施形態は、本発明を限定するためではなくただ例示及び教示のために提供されるものであるが、当業者が本発明を実行するのに十分な程度に詳細に示され説明される。従って、本明細書中では本発明における曖昧さ回避に必要な場合は当業者に周知の特定の情報を省略する場合がある。
【００１０】
図１は、図２及び図３に示すマルチバンドのフロントエンドＲＦ回路２００，３００のいずれかを備える例示的な無線通信装置１００のブロック図である。無線通信装置１００は例えば携帯電話機、自動車電話機、コードレス電話機、ノートパソコンあるいはその他の無線モデムを備えるコンピュータ機器、ページャ、あるいは無線通信機能を持つ携帯情報端末（ＰＤＡ）である。更に、無線通信装置１００はデジタル技術、アナログ技術あるいはそれらの適切な組み合わせを利用してよい。このように、後述の詳細な説明においては、以下に挙げる回路を特定のタイプの無線通信装置に限定するものと理解するべきではない。
【００１１】
無線通信装置１００は少なくとも２つの異なる通信帯域において無線通信信号を送受信するよう構成される。これらの帯域としては例えば、８２４〜８９４ＭＨｚの帯域幅を持つセルラ帯域あるいはアドバンスト・モバイルフォン・システム（ＡＭＰＳ）帯域や、１８５０〜１９９０ＭＨｚの帯域幅を持つパーソナル・コミュニケーション・サービス（ＰＣＳ）帯域、１７１０〜１７５５及び２１１０〜２１５５ＭＨｚの帯域幅を持つ高度無線サービス（ＡＷＳ）帯域が挙げられる。また、無線通信装置１００はＭｅｄｉａＦＬＯTM帯域、ＷｉＦｉ帯域及びＢｌｕｅｔｏｏｔｈ帯域において信号を送受信し、およそ１５７５ＭＨｚにおいてグローバル・ポジショニング・システム（ＧＰＳ）信号を受信できる。
【００１２】
当然のことながら、アンテナや関連回路を適切に選択することにより、無線通信装置１００をより多くのあるいは少ない通信帯域、あるいは異なる帯域に適応させることができる。例えば、無線通信装置１００は、ＰＣＳ及びＡＷＳ帯域のみを利用するように構成されていてもよい。あるいは、無線通信装置１００は、セルラ、ＰＣＳ、ＡＷＳ、ＭｅｄｉａＦＬＯ、ＷｉＦｉ、Ｂｌｕｅｔｏｏｔｈ及びＧＰＳ帯域を越えた通信帯域や、北米外で利用されるもの等異なる帯域において信号を送受信するように構成されていてもよい。
【００１３】
無線通信装置１００は、少なくとも１つのアンテナ１０１と、プロセッサ及びメモリ（不図示）を含む制御部１０２と、送信部及び受信部（不図示）を含む無線周波数（ＲＦ）トランシーバ１０４と、ＲＦフロントエンドモジュール１０６とを備える。無線通信装置１００内には複数の送信経路（例えば図２及び図３の送信経路２０２、２０３、２０５参照）が存在する。各送信経路は、特定のＲＦ帯域において信号を送信するように構成されている。各送信経路に１つの電力増幅器（例えば図２及び図３の電力増幅器２０６参照）が接続されている。電力増幅器は、各送信経路において信号を増幅するように構成されている。従って、複数のＲＦ帯域における送信を増幅するのに単一の電力増幅器が用いられている。このアーキテクチャによれば無線通信装置１００における構成要素の数、回路の規模及び電力消費を大幅に縮小することができる。
【００１４】
制御部１０２は、特に、デジタル化された通信信号に対するベースバンド処理を行う。制御部メモリは、制御部１０２がその機能を実行するための１つ以上のソフトウェアプログラムを格納する。
【００１５】
ＲＦトランシーバ１０４は、制御部１０２とＲＦフロントエンドモジュール１０６との間で通信信号をやりとりするためのＲＦ送受信部を備える。
【００１６】
制御部１０２、ＲＦトランシーバ１０４及びＲＦフロントエンドモジュール１０６のいくつかの構成要素（例えば低ノイズ受信増幅器）は、クアルコム社より入手可能なＱＳＣ６０５５のように単一のチップに統合することができる。あるいは制御部１０２、ＲＦトランシーバ１０４及びＲＦフロントエンドモジュール１０６は、１つ以上のデジタルシグナルプロセッサ（ＤＳＰ）、標準部品及び／又は特定用途向け集積回路（ＡＳＩＣ）を含む適切な構成要素の組み合わせによって実現できる。
【００１７】
ＲＦフロントエンドモジュール１０６はアンテナ１０１及びＲＦトランシーバ１０４に接続する。一般にＲＦフロントエンドモジュール１０６は、無線通信装置１００によって送受信されるＲＦ信号の増幅、フィルタリング、位相シフト動作及びインピーダンス整合を行う。ＲＦフロントエンドモジュール１０６に含まれ得る回路２００、３００の詳細については図２及び図３を参照して後述する。
【００１８】
図２は、ＲＦフロントエンドモジュール１０６に含まれ得る第１ＲＦフロントエンド回路２００の詳細なブロック図である。ＲＦフロントエンド回路２００は、セルラ、ＡＷＳ及びＰＣＳ帯域において信号を送受信可能であり、ＧＰＳ信号を受信可能である。
【００１９】
ＲＦフロントエンド回路２００は、ＡＷＳ送信経路２０２、ＰＣＳ送信経路２０３、セルラ送信経路２０５、ＡＷＳ受信経路２０４、ＰＣＳ受信経路２０９及びセルラ受信経路２０７を備える。
【００２０】
ＡＷＳ送信経路２０２は、少なくとも第１ＡＷＳ経路位相シフタ（ＰＳ）２１４、ＡＷＳ送信（Ｔｘ）表面弾性波（ＳＡＷ）フィルタ２１７、及び第２ＡＷＳ経路ＰＳ２１６を備える。ＰＣＳ送信経路２０３は、少なくとも第１ＰＣＳ経路位相シフタ（ＰＳ）２１８、ＰＣＳ  Ｔｘ  ＳＡＷフィルタ２１９、及び第２ＰＣＳ  ＰＳ２２０を備える。ＡＷＳ及びＰＣＳ  ＲＦ送信信号は、ＡＷＳ及びＰＣＳ送信経路２０２、２０３の第１位相シフタ２１４、２１８への共通入力によって得られる。
【００２１】
好ましくは、ＡＷＳ経路位相シフタ２１４、２１６のそれぞれは、ＡＷＳ送信経路２０２がＰＣＳ送信信号に対して望ましいインピーダンスレベルを持つようにＰＣＳ送信信号の位相をシフトするように構成されている。同様に、ＰＣＳ経路位相シフタ２１８、２００は、ＰＣＳ送信経路２０３がＡＷＳ送信信号に対して望ましいインピーダンスレベルを持つようにＡＷＳ送信信号の位相をシフトするように構成されている。
【００２２】
一般にＡＷＳ  Ｔｘ及びＰＣＳ  Ｔｘ  ＳＡＷフィルタ２１７、２１９は低い帯域外（オフバンド）リターンロスを持つ。図示するようにＡＷＳ及びＰＣＳ  Ｔｘ  ＳＡＷフィルタ２１７、２１９をＡＷＳ経路及びＰＣＳ経路位相シフタ２１４、２１６、２１８、２２０と組み合わせた場合、ＲＦスイッチによりＡＷＳ  ＴｘとＰＣＳ  Ｔｘ経路２０２、２０３の切り替えを行うことなく、かつ、単一のＰＡ２０６を利用して、ＡＷＳ及びＰＣＳ送信信号をフィルタリングし増幅することが可能である。
【００２３】
第２ＡＷＳ経路ＰＳ２１６及び第２ＰＣＳ経路ＰＳ２２０の出力は、電力増幅器（ＰＡ）２０６へ接続される。ＰＡ２０６は、ＡＷＳ及びＰＣＳ送信経路２０２、２０３からそれぞれ出力される位相シフトしたＡＷＳ帯域送信信号及び位相シフトしたＰＣＳ帯域送信信号を増幅するように構成されている。図２及び図３では単一のＰＡ２０６が示されているが、他の実施形態においては複数の電力増幅器を用いてもよい。例えば、ＡＷＳ及びＰＣＳ  Ｔｘ信号のそれぞれに異なる電力増幅器を用いてもよい。
【００２４】
方向性カプラ２２２にはＰＡ２０６の出力が入力される。方向性カプラ２２２は、増幅されたＡＷＳ帯域及びＰＣＳ帯域送信信号をそれぞれＡＷＳ  Ｔｘ位相シフタ及びインピーダンス整合回路２２６、及びＰＣＳ位相シフタ及びインピーダンス整合回路２２４へと結合させるように構成されている。
【００２５】
ＡＷＳ位相シフタ及びインピーダンス整合回路２２６から出力されたＡＷＳ送信信号は、ＡＷＳデュプレクサ２２８に供給される。ＡＷＳデュプレクサ２２８からは、ＡＷＳ送信信号が第３ＡＷＳ位相シフタ２３０を通過し、ＧａＡｓスイッチ２３２に供給される。ＧａＡｓスイッチ２３４は、アンテナ位相シフタ２３４へＡＷＳ送信信号を出力し、アンテナ位相シフタ２３４はそれらをアンテナ１１１へ出力する。ＡＷＳ送信信号は、最終的にアンテナ１１１によって無線通信装置１００から一斉配信される。
【００２６】
ＰＣＳ位相シフタ及びインピーダンス整合回路２２４から出力されたＰＣＳ送信信号は、ＰＣＳデュプレクサ２６０へ入力され、そこから集中ダイプレクサ２６２へと転送される。ＰＣＳ送信信号は集中ダイプレクサ２６２からＧａＡｓスイッチ２３２へ出力される。ＧａＡｓスイッチ２３４はＰＣＳ送信信号をアンテナ位相シフタ２３４へ出力し、アンテナ位相シフタ２３４はそれらをアンテナ１１１へ出力する。ＰＣＳ送信信号は最終的にアンテナ１１１によって無線通信装置１００から一斉配信される。
【００２７】
下りリンクＡＷＳ、ＰＣＳ及びセルラ信号はアンテナ１１１において受信される。これらの受信したＲＦ信号はアンテナ位相シフタ２３４を通過する。ＧａＡｓスイッチ２３２は、受信したＡＷＳ信号を受信したＰＣＳ及びセルラ信号から分離するように構成されている。
【００２８】
受信されたＡＷＳ信号は、ＧａＡｓスイッチ２３２から第３ＡＷＳ位相シフタ２３０を通過しＡＷＳデュプレクサ２２８へ入力される。その後ＡＷＳ信号は、ＡＷＳ受信（Ｒｘ）位相シフタ及びインピーダンス整合回路２５６へ転送される。
【００２９】
受信されたＰＣＳ信号は、ＧａＡｓスイッチ２３２から集中ダイプレクサ２６２へ転送され、その後ＰＣＳデュプレクサ２６０へ入力される。受信されたＰＣＳ信号は、ＰＣＳデュプレクサ２６０からＰＣＳ  Ｒｘ位相シフタ及びインピーダンス整合回路２５８へ転送される。
【００３０】
ＡＷＳ及びＰＣＳ  Ｒｘ位相シフタ及びインピーダンス整合回路２５６、２５８の出力は、低ノイズ増幅器（ＬＮＡ）２０８への共通入力として結合される。ＬＮＡ２０８からの出力は、ＡＷＳ受信経路２０４及びＰＣＳ受信経路２０９へ結合される。
【００３１】
ＡＷＳ受信経路２０４は、第１ＡＷＳ位相シフタ（ＰＳ）２４８、ＡＷＳ受信（Ｒｘ）表面弾性波（ＳＡＷ）フィルタ２４６、及び第２ＡＷＳ  ＰＳ２４４を備える。ＰＣＳ受信経路２０９は、第１ＰＣＳ位相シフタ（ＰＳ）２５４、ＰＣＳ  Ｒｘ  ＳＡＷフィルタ２５２、及び第２ＰＣＳ  ＰＳ２５０を備える。受信されたＡＷＳ及びＰＣＳ  ＲＦ信号は、ＲＦトランシーバ１０４へ共通の単一出力あるいは差動出力によって出力される。
【００３２】
セルラＲＦフロントエンド回路は、セルラ送信経路２０５及びセルラ受信経路２０７を備える。セルラ送信経路２０５は、セルラＴｘ  ＳＡＷフィルタ２３６、ＰＡ２１０及び方向性カプラ２３８を備える。セルラ受信経路２０７は、セルラＬＮＡ２１２及びセルラＲｘ  ＳＡＷフィルタ２４２を備える。セルラ方向性カプラ２３８及びＬＮＡ２１２は、セルラデュプレクサ２４０へ接続される。セルラ送信及び受信信号は、セルデュプレクサ２４０とアンテナ１１１との間を集中ダイプレクサ２６２、ＧａＡｓスイッチ２３２及びアンテナＰＳ２３４を介して転送される。
【００３３】
ＧＰＳ信号を受信するためにＧＰＳ  ＳＡＷフィルタ２６４が別個のＧＰＳアンテナ１０８へ接続される。
【００３４】
Ｔｘ、Ｒｘ及びＧＰＳ  ＳＡＷフィルタ２１７、２１９、２３６、２４２、２４６、２５２、２６４は、それぞれの帯域信号に対して帯域フィルタ処理を行うように構成されている市販のＲＦ  ＳＡＷフィルタである。一般にＳＡＷフィルタは低い帯域外（オフバンド）リターンロスを持つため、ＡＷＳ及びＰＣＳ送信信号を結合し単一のＰＡ２０６により増幅させ単一の方向性カプラ２２２によりそれぞれのデュプレクサ２２８、２６０へ結合させることができる。
【００３５】
ＲＦフロントエンド回路２００，３００はＳＡＷフィルタを備えるものとして図示されているが、別のタイプの適切なフィルタを用いてもよい。例えばＳＡＷフィルタの代わりにバルク弾性波（ＢＡＷ）フィルタあるいは圧電薄膜共振器（ＦＢＡＲ）を用いてもよい。また、ＳＡＷフィルタ、ＢＡＷフィルタあるいはＦＢＡＲの任意の適切な組み合わせを用いてもよい。
【００３６】
ＦＢＡＲを用いることにより、高いＱ値のフィルタを極めて小さな設置面積において実現できる。ＳＡＷデバイスと同様にＦＢＡＲデバイスは電気信号を機械的振動へと変換する。これらの機械的振動はフィルタ部材と共振し、適切な出力において再び電気信号へと変換される。しかしながらＳＡＷフィルタとは異なり、これらの機械的振動は部材の表面だけでなくその本体を通過する。これにより７．５Ｇｈｚといった高周波数での優れた電力操作及び運用が可能となる。更に、ＦＢＡＲデバイスは極めて小さなサイズで実現可能である。
【００３７】
電力増幅器２０６は、ＡＷＳ及びＰＣＳ帯域においてＲＦ信号を増幅可能な任意の適切な広帯域ＰＡ、例えばアナディジックス社のＡＷＴ６３３２であってよい。セルラＰＡ２１０は、セルラ帯域においてＲＦ信号を増幅可能な任意の適切な広帯域ＰＡ、例えばアナディジックス社のＡＷＴ６３３１であってよい。
【００３８】
方向性カプラ２２２、２３８は、ＡＶＸ社より入手可能な特定の方向性カプラ等の、それぞれのＲＦ帯域に適した既製の部品であることが好ましい。
【００３９】
低ノイズ増幅器２０８、２１２は、クアルコム社の部品番号ＱＳＣ６０５５等の、シングル・チップ・セルラ・ソリューションに統合されていることが好ましい。
【００４０】
ＡＷＳデュプレクサ２２８、セルラデュプレクサ２４０及びＰＣＳデュプレクサ２６０は送信部及び受信部が同一のアンテナ１１１によって送受信できるようにそれぞれの受信及び送信経路を分離する。ＡＷＳデュプレクサ２２８、セルラデュプレクサ２４０及びＰＣＳデュプレクサ２６０は、それぞれのＲＦ帯域に適した既製の部品であることが好ましい。
【００４１】
ＧａＡｓスイッチ２３２は、無線通信装置１００が動作している帯域に基づいてＡＷＳ帯域とＰＣＳあるいはセルラ帯域との間で選択的に切り替えを行う。無線通信装置１００がＡＷＳ帯域において動作している場合、ＧａＡｓスイッチ２３２はＡＷＳデュプレクサ２２８をアンテナ１１１と接続する。無線通信装置１００がＰＣＳあるいはセルラ帯域において動作している場合、ＧａＡｓスイッチ２３２はダイプレクサ２６２をアンテナ１１１と接続する。ＧａＡｓスイッチ２３２の設定は制御部１０２によって制御される。ＧａＡｓスイッチ２３２は既製の部品であることが好ましい。集中ダイプレクサ２６２は、セルラ帯域とＰＣＳ帯域を分離する。
【００４２】
位相シフタ２１４、２１６、２１８、２２０、２３０、２３４、２４４、２４８、２５０、２５４は、ＲＦ回路２００内の特定のノードにおいてＲＦ信号が所望の値をとるように位相を調整する、あるいはインピーダンスを与える任意の適切な装置である。位相シフタ２１４、２１６、２１８、２２０、２３０、２３４、２４４、２４８、２５０、２５４は、ＧａＡｓスイッチのような能動的な装置及び／又はインダクタ、コンデンサ及び／又は抵抗器のような受動的な装置を備えてもよく、Π型あるいはＴ型ネットワーク等の周知の構成により接続される。
【００４３】
位相シフタ及びインピーダンス整合回路２２４，２２６，２５６，２５８は、回路２００を通るＲＦ信号に対して、位相シフト及びインピーダンス整合を行う。位相シフタ及びインピーダンス整合回路２２４，２２６，２５６，２５８は、ＧａＡｓスイッチのような能動的な装置及び／又はインダクタ、コンデンサ及び／又は抵抗器のような受動的な装置を備えてもよく、Π型あるいはＴ型ネットワーク等の周知の構成により接続される。
【００４４】
アンテナ１０１は、ＧＰＳアンテナ１０８及び無線信号をＡＷＳ、ＰＣＳ及びセルラ帯域において送受信するように構築されたトライバンドアンテナ１１１を含む。
【００４５】
図３は、第１ＲＦフロントエンド回路２００に代わってＲＦフロントエンドモジュール１０６に含まれ得る代替ＲＦフロントエンド回路３００の詳細なブロック図である。第１ＲＦフロントエンド回路２００と同様に代替ＲＦフロントエンド回路３００は、セルラ、ＡＷＳ及びＰＣＳ帯域において信号を送受信可能であり、ＧＰＳ信号を受信可能である。しかしながら、第１ＲＦフロントエンド回路２００とは対照的に代替ＲＦフロントエンド回路３００では異なるアンテナ配置を用いる。代替ＲＦフロントエンド回路３００ではＰＣＳ、セルラ及びＧＰＳ帯域用にトライバンドアンテナ１１３を用い、ＡＷＳ帯域用に別個のＡＷＳアンテナ１１５を用いる。このアーキテクチャにおいてＡＷＳデュプレクサ２２８は位相シフタ３０６を介してＡＷＳへ接続され、アンテナ１１３をセルラデュプレクサ２４０、ＰＣＳデュプレクサ２６０及びＧＰＳ低ノイズ増幅器（ＬＮＡ）３０４へ接続するために集中トライプレクサを用いる。
【００４６】
集中トライプレクサ３０２は、ＰＣＳ、セルラ及びＧＰＳ  ＲＦ帯域を互いに分離し、また既製の部品であることが好ましい。
【００４７】
当業者であれば先の教示を鑑みて本発明の他の実施形態や変形例に容易に想到し得るであろう。このように、上述の概要及び詳細な説明は例示的なものであり限定的なものではない。本発明は、以下に示す、上記明細書及び添付の図面に関連する全ての実施形態や変形例を含む請求項によってのみ制限されるべきものである。従って本発明の範囲は上記の概要及び詳細な説明によって制限されず、添付の請求項及びこれらの範囲全体の等価物によって決定されるべきである。
【図１】
2011515931.tif 000003
【図２】
2011515931.tif 000004
【図３】
2011515931.tif 000005
【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
複数の無線周波数（ＲＦ）帯域において送信が可能な無線通信装置であって、
それぞれが所定の無線周波数（ＲＦ）帯域において信号を送信するように構成されている複数の送信経路と、
前記複数の送信経路のそれぞれに接続され、前記複数の送信経路のそれぞれに関連付けられる前記信号を増幅するように構成されている電力増幅器と、
を備える無線通信装置。
【請求項２】
前記複数の送信経路のうちの一つは、高度無線サービス（ＡＷＳ）帯域において信号を送信し、前記複数の送信経路のうちの他は、パーソナル・コミュニケーション・サービス（ＰＣＳ）帯域において信号を送信する請求項１に記載の無線通信装置。
【請求項３】
前記電力増幅器の入力に動作可能に接続された複数のフィルタを備え、前記複数のフィルタのそれぞれは、前記複数の送信経路のうち対応する送信経路において前記信号をフィルタリングするように構成されている請求項１に記載の無線通信装置。
【請求項４】
前記複数のフィルタのそれぞれは、低い帯域外リターンロスを有する請求項３に記載の無線通信装置。
【請求項５】
前記複数のフィルタのそれぞれは、表面弾性波（ＳＡＷ）フィルタ、バルク弾性波フィルタ（ＢＡＷ）、ＦＢＡＲ、及びこれらのフィルタの任意の適切な組み合わせからなるグループから選ばれる請求項３に記載の無線通信装置。
【請求項６】
前記電力増幅器の出力に動作可能に接続され、前記複数の送信経路のそれぞれに関連付けられた増幅信号を結合するように構成されている方向性カプラをさらに備える請求項１に記載の無線通信装置。
【請求項７】
ＡＷＳ帯域送信信号及びＰＣＳ帯域送信信号を受信する第１高度無線サービス（ＡＷＳ）経路位相シフタと、
前記ＡＷＳ帯域送信信号及び前記ＰＣＳ帯域送信信号を受信する第１パーソナル・コミュニケーション・サービス（ＰＣＳ）経路位相シフタと、
前記第１ＡＷＳ経路位相シフタに接続され、前記ＡＷＳ帯域送信信号にバンドパスフィルタ処理を行うように構成されている第１表面弾性波（ＳＡＷ）フィルタと、
前記ＰＣＳ経路位相シフタに接続され、前記ＰＣＳ帯域送信信号にバンドパスフィルタ処理を行うように構成されている第２ＳＡＷフィルタと、
前記第１ＳＡＷフィルタに接続された第２ＡＷＳ経路位相シフタと、
前記第２ＳＡＷフィルタに接続された第２ＰＣＳ経路位相シフタと、
を備える無線周波数（ＲＦ）回路。
【請求項８】
無線通信装置に含まれる請求項７に記載のＲＦ回路。
【請求項９】
前記第１及び第２ＳＡＷフィルタのそれぞれは、低い帯域外リターンロスを有する請求項７に記載のＲＦ回路。
【請求項１０】
前記第２ＡＷＳ経路位相シフタ及び前記第２ＰＣＳ経路位相シフタに接続され、前記ＡＷＳ帯域送信信号及び前記ＰＣＳ帯域送信信号を増幅することによって、増幅されたＡＷＳ帯域及びＰＣＳ帯域送信信号を出力するように構成されている電力増幅器をさらに備える請求項７に記載のＲＦ回路。
【請求項１１】
前記電力増幅器の出力に動作可能に接続され、前記増幅されたＡＷＳ帯域及びＰＣＳ帯域送信信号を結合するように構成されている方向性カプラをさらに備える請求項１０に記載のＲＦ回路。
【請求項１２】
方向性カプラに接続されたＰＣＳ位相シフタ及びインピーダンス整合回路をさらに備える請求項１１に記載のＲＦ回路。
【請求項１３】
方向性カプラに接続されたＡＷＳ位相シフタ及びインピーダンス整合回路をさらに備える請求項１１に記載のＲＦ回路。
【請求項１４】
前記第１ＡＷＳ経路位相シフタは、所定のインピーダンスを前記ＰＣＳ帯域送信信号に対して与えるように構成されている請求項７に記載のＲＦ回路。
【請求項１５】
前記第１ＰＣＳ経路位相シフタは、前記ＡＷＳ帯域送信信号に対して所定のインピーダンスを与えるように構成されている請求項７に記載のＲＦ回路。
【請求項１６】
無線携帯機器において送信信号を増幅する方法であって、
電力増幅器が、第１の所定の無線周波数（ＲＦ）帯域に関連付けられた第１送信信号を受信し、
前記電力増幅器が、第２の所定のＲＦ帯域に関連付けられた第２送信信号を受信し、
前記電力増幅器を用いて、前記第１及び第２送信信号のそれぞれを増幅する、
ことを含む方法。
【請求項１７】
前記第１の所定のＲＦ帯域は、高度無線サービス（ＡＷＳ）帯域であり、前記第２の所定のＲＦ帯域は、パーソナル・コミュニケーション・サービス（ＰＣＳ）帯域である請求項１６に記載の方法。
【請求項１８】
前記第１送信信号を前記電力増幅器が受信する前に、第１フィルタを用いて前記第１送信信号にバンドパスフィルタ処理を行い、
前記第２送信信号を前記電力増幅器が受信する前に、第２フィルタを用いて前記第２送信信号にバンドパスフィルタ処理を行う、
ことをさらに含む請求項１６に記載の方法。
【請求項１９】
第１位相シフタを用いて前記第１送信信号の位相をシフトし、
第２位相シフタを用いて前記第２送信信号の位相をシフトする、
ことをさらに含む請求項１６に記載の方法。
【請求項２０】
前記増幅された第１及び第２送信信号を方向性カプラに印加することをさらに含む請求項１６に記載の方法。
【手続補正２】
【補正対象書類名】明細書
【補正対象項目名】００２４
【補正方法】変更
【補正の内容】
【００２４】
方向性カプラ２２２にはＰＡ２０６の出力が入力される。方向性カプラ２２２は、増幅されたＡＷＳ帯域及びＰＣＳ帯域送信信号をそれぞれＡＷＳ  Ｔｘ位相シフタ及びインピーダンス整合回路２２６、及びＰＣＳ  Ｔｘ位相シフタ及びインピーダンス整合回路２２４へと結合させるように構成されている。
【国際調査報告】
2011515931.tif 000006
2011515931.tif 000007
2011515931.tif 000008
2011515931.tif 000009